(57)【要約】  ランプを交換する交換タイミングを適確に把握することが可能なプロジェクタおよび検知方法を提供する。  光源駆動部（３）は、光源（１）に点灯電力を供給して、光源（１）を点灯する。点灯制御部（４）は、点灯電力を調整する。計算部（６）は、光源（１）が点灯された点灯時間を計測し、点灯時間および点灯電力に基づいて、点灯時間を補正した補正点灯時間を求め、その補正点灯時間に応じて、光源（１）の消耗度を計算する。
2014057560.tif 000002
【特許請求の範囲】
【請求項１】
光源と、
前記光源に点灯電力を供給して、前記光源を点灯する光源駆動部と、
前記点灯電力を調整する点灯制御部と、
前記光源が点灯された点灯時間を計測し、前記点灯時間および前記点灯電力に基づいて、前記点灯時間を補正した補正点灯時間を求め、当該補正点灯時間に応じて、前記光源の消耗度を計算する計算部と、を有するプロジェクタ。
【請求項２】
請求項１に記載のプロジェクタにおいて、
前記計算部は、前記点灯時間を前記点灯電力に応じて補正する補正式を、前記光源が前記点灯電力の最小値で点灯された点灯時間である最小電力点灯時間に応じて決定し、当該決定した補正式を用いて、前記補正点灯時間を求める、プロジェクタ。
【請求項３】
請求項２に記載のプロジェクタにおいて、
前記計算部は、前記補正式として予め定められた第１の補正式を用いて、前記補正点灯時間を求め、前記最小電力点灯時間が閾値以上になると、前記補正式として前記第１の補正式とは異なる第２の補正式を用いて、前記補正点灯時間を求める、プロジェクタ。
【請求項４】
請求項１ないし３のいずれか１項に記載のプロジェクタにおいて、
前記計算部は、前記消耗度として、前記ランプを点灯することができる残り時間を求める、プロジェクタ。
【請求項５】
プロジェクタの光源の交換タイミングを検知する検知方法であって、
前記光源に供給する点灯電力の調整し、
前記光源が点灯された点灯時間を計測し、
前記点灯時間および前記点灯電力に基づいて、前記点灯時間を補正した補正点灯時間を求め、当該補正点灯時間に応じて、前記光源の消耗度を計算する、検知方法。
【発明の詳細な説明】
【技術分野】
【０００１】
本発明は、光源を交換する交換タイミングを検知するプロジェクタに関する。
【背景技術】
【０００２】
映画鑑賞やプレゼンテーションなどに用いられるプロジェクタは、通常、光源として、高圧水銀ランプ、メタルハライドランプおよびハロゲンランプのような放電式のランプを備えている。【０００３】
上記のランプは、輝度が高いため、ある程度以上の輝度が必要となるプロジェクタ用の光源に適しているが、その一方で、点灯時間が長くなるほど、輝度が低下していき、投写画像が視認しづらくなったり、失灯や破裂が生じやすくなったりなどの問題がある。このため、ランプを備えたプロジェクタでは、ランプを適切なタイミングで交換する必要がある。【０００４】
具体的には、ランプを点灯した点灯時間が長くなるほど、ランプの電極が損耗して、電極の間隔が広くなっていく。ランプは定電力で駆動するため、電極の間隔が広くなるほど、電極間の電圧が高くなり、その電圧が許容値に達すると、失灯や破裂が生じやすくなる。電極間の電圧はランプに供給する点灯電力に応じて変化するが、ランプの電極が損耗し続けると、定格電力をランプに供給したときに電極間の電圧が許容値に達してしまう。一般的に、ランプの輝度が初期の輝度に対して５０％になるまでのランプの点灯時間は、ランプの電極間の電圧が許容値に達するまでのランプの点灯時間以下である。このため、ランプの輝度が初期の輝度に対して５０％になるまでのランプの点灯時間が寿命と定義され、ランプの点灯時間が寿命に達すると、ランプを交換する。【０００５】
これに対して特許文献１には、ランプの点灯時間が寿命に達した旨を通知する投影装置が開示されている。この投影装置は、ランプの点灯時間などに基づいて、ランプの消耗度を算出し、その消耗度が一定値以上になると、ランプの点灯時間が寿命に達した旨を通知する。これにより、ユーザはランプを交換する交換タイミングを把握することが可能になる。【０００６】
また、特許文献２には、ランプの長寿命化を図ることが可能な光源装置が開示されている。この光源装置は、ランプを点灯する点灯モードとして、ランプに定格電圧を供給して、ランプを点灯する定常点灯モードと、ランプに定格電圧より小さい電力を供給して、ランプを点灯するエコ点灯モードとを備える。【０００７】
ランプに供給する点灯電圧が小さいほど、ランプの電極は損耗しにくくなるので、ランプの寿命は長くなる。このため、ランプをエコ点灯モードで点灯する場合、ランプを定常点灯モードで点灯する場合に比べて、ランプの寿命が長くなる。したがって、周囲の明るさなどに応じて適切な点灯モードを選択することで、ランプの長寿命化を図ることができる。
【先行技術文献】
【特許文献】
【０００８】
【特許文献１】特開平８−１０６１２８号公報
【特許文献２】特開２００８−２９３９３４号公報
【発明の概要】
【発明が解決しようとする課題】
【０００９】
特許文献２に開示された技術のように、ランプに供給する点灯電力が異なる複数の点灯モードが存在する場合、点灯モードに応じて、ランプの電極が損耗する程度が変化するため、ランプの点灯時間と消耗度の関係も変化する。この場合、特許文献１に記載の技術のように、点灯時間に応じて消耗度を算出しても、その算出した消耗度が実際の消耗度からずれてしまい、ランプの点灯時間が寿命に達したか否かを正確に判断することができない。【００１０】
本発明は、上記の問題を鑑みてなされたものであり、ランプを交換する交換タイミングを適確に把握することが可能なプロジェクタおよび検知方法を提供することを目的とする。
【課題を解決するための手段】
【００１１】
本発明によるプロジェクタは、光源と、前記光源に点灯電力を供給して、前記光源を点灯する光源駆動部と、前記点灯電力を調整する点灯制御部と、前記光源が点灯された点灯時間を計測し、前記点灯時間および前記点灯電力に基づいて、前記点灯時間を補正した補正点灯時間を求め、当該補正点灯時間に応じて、前記光源の消耗度を計算する計算部と、を有する。【００１２】
本発明による検知方法は、プロジェクタの光源の交換タイミングを検知する検知方法であって、
前記光源に供給する点灯電力の調整し、前記光源が点灯された点灯時間を計測し、前記点灯時間および前記点灯電力に基づいて、前記点灯時間を補正した補正点灯時間を求め、当該補正点灯時間に応じて、前記光源の消耗度を計算する。
【発明の効果】
【００１３】
本発明によれば、光源の交換タイミングを適確に通知することが可能になる。
【図面の簡単な説明】
【００１４】
【図１】本発明の一実施形態のプロジェクタの構成を有するブロック図である。
【図２】ランプの点灯時間と輝度の関係を示す図である。
【図３】関連技術の問題点を説明するための図である。
【図４】関連技術におけるランプの点灯時間とランプ残量の関係の一例を示す図である。
【図５】関連技術におけるランプの点灯時間とランプ残量の関係の参考例を示す図である。
【図６】本発明の一実施形態におけるランプの点灯時間とランプ残量の関係の一例を示す図である。
【図７】本発明の一実施形態のプロジェクタの動作例を説明するためのフローチャートである。
【発明を実施するための形態】
【００１５】
以下、本発明の実施形態について図面を参照して説明する。なお、以下の説明では、同じ機能を有するものには同じ符号を付け、その説明を省略する場合がある。
【００１６】
図１は、本発明の一実施形態のプロジェクタの構成を有するブロック図である。図１において、プロジェクタは、ランプ１と、投写部２と、ランプ駆動部３と、点灯制御部４と、不揮発性メモリ５と、計算部６と、表示部７とを含む。
【００１７】
ランプ１は、光を発生させる光源である。
【００１８】
投写部２は、ランプ１で発生した光を映像信号に応じて変調してスクリーン（図示せず）に投写することで、スクリーン上に映像信号に応じた画像を表示する。
【００１９】
ランプ駆動部３は、ランプ１に点灯電力を供給して、ランプ１を点灯する光源駆動部である。具体的には、ランプ駆動部は、ランプ１に供給する点灯電力がそれぞれ異なる複数の点灯モードのいずれかが設定され、その設定された点灯モードに応じた点灯電圧をランプ１に供給することで、ランプ１を点灯する。
【００２０】
本実施形態では、点灯モードには、予め定められた定格電力をランプ１に供給する定常点灯モードと、定格電力より小さいエコ電力をランプ１に供給するエコ点灯モードとがあるものとする。ただし、定格電力より小さいエコ電力をランプ１に供給するエコ点灯モードは、１つに限定されず、複数のモードがあっても良い。
【００２１】
点灯制御部４は、ランプ駆動部３がランプ１に供給する点灯電力を調整する。具体的には、点灯制御部４は、複数の点灯モードのいずれかを選択し、その選択した点灯モードをランプ駆動部３に設定することで、ランプ１に供給する点灯電力を調整する。例えば、プロジェクタには、点灯モードを選択するためのスイッチ（図示せず）が設けられ、点灯制御部４は、そのスイッチから、複数の点灯モードのいずれか選択する選択信号を受信し、その選択信号に応じて選択した点灯モードをランプ駆動部３に設定する。
【００２２】
不揮発性メモリ５は、ランプ１を点灯することができる残り時間であるランプ残量をランプ１の消耗度として示すランプ残量情報を格納する。本実施形態では、ランプ残量情報は、ランプ残量として、ランプ１の使用を開始した時点での残り時間に対する現時点での残り時間の割合を示すものとする。この場合、ランプ残量が０％になった時点が、ランプ１を交換する交換タイミングとなる。
【００２３】
また、不揮発性メモリ５は、点灯モード毎にランプの点灯時間をそれぞれ格納する。ただし、各点灯モードにおける点灯電力が近接している場合は、メモリ量の削減のために、隣接する点灯電力に対応する複数の点灯モードを１つの群としてランプの点灯時間を管理しても良い。点灯電力が近接している場合は、寿命を略同じとみなして設定することができる。
【００２４】
計算部６は、ランプ１が点灯された点灯時間を計測する。そして、計算部６は、その点灯時間と、ランプ１に供給されている点灯電力とに基づいて、その点灯時間を補正した補正点灯時間を求め、その補正点灯時間に応じて、ランプ１の消耗度を計算する。そして、ランプ１の消耗度が所定値になると、計算部６は、ランプを交換する交換タイミングになったと判断し、交換タイミングになった旨のタイミング通知情報を表示部７に表示することで、交換タイミングになった旨をユーザに通知する。
【００２５】
本実施形態では、計算部６は、ランプ１の消耗度として、ランプ残量を計算するものとする。また、所定値は０％であるとする。この場合、ランプ残量が所定値である０％になると、計算部６は、交換タイミングになった旨をユーザに通知する。
【００２６】
なお、交換タイミングになった旨を通知する通知方法は、上記の例に限らない。例えば、計算部６は、ＯＳＤ（On-Screen  Display）機能を用いて、タイミング通知情報を投写画像に重畳させたり、エラー通知用のＬＥＤなどを点灯させたりすることで、交換タイミングになった旨をユーザに通知してもよい。
【００２７】
以下、計算部６が行う処理についてより詳細に説明する。
【００２８】
図２は、ランプ１の点灯時間と輝度との関係を示す図である。具体的には、図２は、ランプ１を定常点灯モードで点灯したときの点灯時間と輝度との関係と、ランプ１をエコ点灯モードで点灯したときの点灯時間と輝度との関係とを示す図である。また、図２における輝度は、ランプ１の最初の輝度である初期輝度に対する割合で示されている。
【００２９】
一般的に、ランプを点灯した点灯時間が長くなるほど、ランプの電極が損耗して、電極の間隔が広くなっていく。ランプは定電力で駆動するため、電極の間隔が広くなるほど、電極間の電圧が高くなり、その電圧が許容値に達すると、失灯や破裂が生じやすくなる。電極間の電圧はランプに供給する点灯電力に応じて変化するが、ランプの電極が損耗し続けると、定格電力をランプに供給したときに電極間の電圧が許容値に達してしまう。
【００３０】
また、ランプの電極の間隔が広くなるほど、ランプの発光点が大きくなり、光の利用効率が下がり、輝度が低下する。したがって、ランプの輝度が初期の輝度に対して所定の割合、例えば、５０％程度になると、目的の輝度の性能を出すことができないとして、ランプが交換される。つまり、ランプの輝度が初期の輝度に対して、例えば、５０％になるまでのランプの点灯時間がランプの寿命と定義され、ランプの点灯時間が寿命に達すると、ランプは交換される。ただし、ランプの寿命は、電極間の電圧が許容値に達するまでのランプの点灯時間以下になるように設定され、望ましくは、実際に失灯や破裂が生じる電極間の電圧に対して余裕をもって許容値が設定される。
【００３１】
図２に示されたようにランプ１の輝度は、概ねランプ１の点灯時間に対して徐々に低下するが、輝度の低下率は、点灯電力が高いほど高くなる。このため、輝度が５０％となるまでの点灯時間である寿命は、ランプを定常点灯モードで点灯する場合より、ランプ１をエコ点灯モードで点灯する場合の方が長い。ここでは、ランプ１の寿命は、定常点灯モードでランプ１を点灯する場合、１０００時間であり、エコ点灯モードでランプ１を点灯する場合、２０００時間であると仮定している。
【００３２】
図３は、上記の問題をより詳細に説明するための図であり、ランプ１を定常点灯モードおよびエコ点灯モードのそれぞれで点灯した場合における、ランプ１の点灯時間と、ランプ１の電極間の電圧であるランプ電圧との関係を示している。なお、ランプ１の寿命は、ランプ１を定常点灯モードで点灯した場合、１０００時間であり、ランプ１をエコ点灯モードで点灯した場合、２０００時間であるとしている。また、ランプ電圧の許容値は１５０Ｖであると仮定している。
【００３３】
図３の点線Ａは、点灯モードがエコ点灯モードから定常点灯モードに切り替えられた直後のランプ電圧を示し、図３の点線Ｂは、ランプ１がエコ点灯モードで２０００時間点灯した時点で、点灯モードがエコ点灯モードから定常点灯モードに切り替えられた後のランプ電圧を示す。通常、点線Ａはエコ点灯モードにおけるランプ電圧を示す線を平行移動したものとなり、点線Ｂは定常点灯モードにおけるランプ電圧を示す線を平行移動したものとなる。ランプ１がエコ点灯モードで２０００時間以上点灯した後に、点灯モードを定常点灯モードに切り替えると、点線Ｂで示されるように、短時間でランプ電圧が許容値を超えてしまうため、ランプ１がエコ点灯モードで２０００時間以上点灯すると、ランプ１を定常点灯モードで長時間点灯させることはできない。
【００３４】
図３の例では、ランプ１を定常点灯モードで点灯した場合、点灯時間が寿命である１０００時間に達すると、ランプ電圧が許容値である１５０Ｖに達してしまい、ランプ１に失灯や破裂が生じやすくなる。ただし、許容値は余裕をもって設定されているので、直ちに失灯や破裂が生じることはない。
【００３５】
一方、ランプ１をエコ点灯モードで点灯した場合、点灯時間が寿命である２０００時間に達しても、ランプ１に供給される電力が低いので、ランプ電圧は許容値より低く、ランプ電圧が許容値に到達する３０００時間までランプ１を点灯することができる。
【００３６】
つまり、ランプ１の点灯時間が寿命に到達しても、エコ点灯モードであれば、ランプ１に失灯や破裂が生じる可能性は低く、しばらくの間はランプ１を使用することができる。図３では、エコ点灯モードにおいて、寿命を超えても点灯することができるランプ１の点灯時間である超過点灯時間と、超過点灯時間における輝度との関係が点線Ｃで示されている。なお、超過点灯時間は、１０００時間であると仮定している。つまり、エコ点灯モードでは、ランプ１を３０００時間点灯させることができる。ただし、図３に示すように、２０００時間以上点灯した場合には、ランプの輝度が初期の輝度に対して５０％以下となるが、エコ点灯モードは輝度を重視しないモードであるため、問題はない。
【００３７】
仮にランプ１の点灯時間が寿命に到達したときに、交換タイミングになった旨を通知する場合、計算部６は、ランプ１の点灯時間を点灯モードに応じて補正し、その補正した点灯時間である補正点灯時間に基づいて、ランプ残量を計算すればよい。具体的には、計算部６は、ランプ１をエコ点灯モードで点灯したエコ点灯時間Ｔｅを定常点灯モードに対応する点灯時間に補正する。つまり、エコ点灯時間Ｔｅの１／２（＝（エコ点灯モードの寿命）／（定常点灯モードの寿命））を補正点灯時間とし、ランプ１を定常点灯モードで点灯した定常点灯時間Ｔｎをそのまま補正点灯時間とすることで、補正点灯時間（＝Ｔｎ＋Ｔｅ／２）を算出し、ランプ残量Ｒを、Ｒ＝１−（補正点灯時間）／（定常点灯モードの寿命）＝１−（Ｔｎ＋Ｔｅ／２）／１０００として計算すればよい。なお、ランプ残量を百分率［％］で表示する場合には、ランプ残量はＲ×１００［％］となる。
【００３８】
図４は、ランプ残量ＲをＲ＝１−（Ｔｎ＋Ｔｅ／２）／１０００で計算したときの、点灯時間とランプ残量との関係を示す図である。
【００３９】
図４の例では、ランプ１を定常点灯モードで点灯した場合、点灯時間が１０００時間になると、交換タイミングになった旨が通知され、ランプをエコ点灯モードで点灯した場合、点灯時間が２０００時間になると、交換タイミングになった旨が通知される。しかしながら、この場合には、エコ点灯モードでは、ランプ１をさらに１０００時間長く点灯できるのに関わらず、交換タイミングになった旨が通知されることとなり、交換タイミングになった旨を適切に通知することができない。
【００４０】
図５は、ランプ１をエコ点灯モードで点灯した場合に、点灯時間が３０００時間になると、交換タイミングになった旨が通知されるように、ランプ残量ＲをＲ＝１−（Ｔｎ＋Ｔｅ／３）／１０００で計算したときの、点灯時間とランプ残量との関係を示す図である。なお、この例では、エコ点灯時間Ｔｅの１／３が補正点灯時間となり、定常点灯時間Ｔｎはそのまま補正点灯時間となっている。
【００４１】
図５の例では、ランプ１を常にエコ点灯モードで点灯した場合、点灯時間が３０００時間になると、交換タイミングになった旨が通知される。しかしながら、ランプ１がエコ点灯モードで２０００時間点灯した後で、点灯モードがエコ点灯モードから定常点灯モードに切り替えられると、ランプ残量が３３％となる。これは、ランプ１が定常点灯モードで点灯した場合の点灯時間６６７時間に相当するため、ランプ１をエコ点灯モードで２０００時間点灯させた後に、定常点灯モードで３３３時間点灯することができることとなる。しかしながら、実際には、ランプ１がエコ点灯モードで２０００時間点灯すると、ランプ１を定常点灯モードで点灯させることができる時間は短いため、図５の例では、交換タイミングになった旨を適切に通知することができない。
【００４２】
そこで本実施形態では、計算部６は、上述したように、ランプ１の点灯時間および点灯電力に基づいて、点灯時間を補正した補正点灯時間を求め、その補正点灯時間に応じて、ランプ１の消耗度を計算することで、交換タイミングになった旨を適切に通知できるようにする。
【００４３】
具体的には、計算部６は、点灯時間を点灯電力に応じて補正する補正式を、点灯時間に応じて決定し、その決定した補正式を用いて、補正点灯時間を求める。さらに具体的に言えば、計算部６は、先ず、補正式として、予め定められた第１の補正式を用いて、補正点灯時間を求め、エコ点灯時間が予め定められた閾値以上になると、第１の補正式とは異なる第２の補正式を用いて、補正点灯時間を求める。
【００４４】
以下具体例を用いて計算部６の処理について説明する。
【００４５】
図６は、本実施形態における点灯時間とランプ残量との関係の一例を示す図である。
【００４６】
図６の例では、ランプ１が定常点灯モードで９９０時間点灯した状態と、ランプ１がエコ点灯モードで２０００時間点灯した状態とのそれぞれにおいて、ランプ残量が共に所定の値、例えば、１％となる。ランプ残量の所定の値は、ランプの電極間の電圧が許容値に達するまでのランプの点灯時間と、失灯や破裂が実際に生じる時間との関係に基づき設定され、その差が大きいほど、所定の値を大きくすることができる。
【００４７】
この場合、計算部６は、点灯時間（具体的には、定常点灯時間Ｔｎおよびエコ点灯時間Ｔｅ）を第１の補正式「Ｔ１＝Ｔｎ＋Ｔｅ／（（エコ点灯モードの寿命）／（（定常点灯モードの寿命）×（１−ランプ残量の所定の値）＝Ｔｎ＋Ｔｅ／（２０００／９９０）」を用いて補正して、補正点灯時間Ｔ１を求め、その補正点灯時間Ｔ１に基づいてランプ残量Ｒを、Ｒ＝１−（補正点灯時間）／（定常点灯モードの寿命）＝１−Ｔ１／１０００＝１−（Ｔｎ＋Ｔｅ／（２０００／９９０））／１０００と計算する。
【００４８】
エコ点灯モードで寿命を超えて点灯した場合、すなわちエコ点灯時間Ｔｅが２０００時間以上になった場合、計算部６は、点灯時間を第２の補正式「Ｔ２＝Ｔｎ＋（（定常点灯モードの寿命）×（１−ランプ残量の所定の値））＋（Ｔｅ−エコ点灯モードの寿命））／（（定常点灯モードの寿命）／（（定常点灯モードの寿命）×（ランプ残量の所定の値）））＝Ｔｎ＋９９０＋（Ｔｅ−２０００）／（１０００／１０）」を用いて補正して、補正点灯時間Ｔ２を求め、その補正点灯時間Ｔ２に基づいてランプ残量を、Ｒ＝１−（補正点灯時間）／（定常点灯モードの寿命）＝１−Ｔ２／１０００＝１−（Ｔｎ＋９９０＋（Ｔｅ−２０００）／（１０００／１０））／１０００と計算する。
【００４９】
以上のようにランプ残量を計算することにより、ランプ１がエコ点灯モードで２０００時間点灯したときのランプ残量が１％となるので、この時点で点灯モードが定常点灯モードに切り替えられると、残り１０時間しか点灯できないこととなる。また、ランプ１の寿命を超えた後の定常点灯モードでの点灯時間は短時間に設定することが可能なので、ランプ１の破裂等の問題は発生し難くなる。なお、交換タイミングになった旨の通知は、ランプ残量が０％になった時点で行われる。
【００５０】
次に動作を説明する。
【００５１】
図７は、本実施形態のプロジェクタの動作を説明するためのフローチャートである。
【００５２】
先ず、画像の投写を開始するタイミングになると、点灯制御部４は、ランプ駆動部３に設定する点灯モードとして定常点灯モードまたはエコ点灯モードを選択し、その選択した点灯モードをランプ駆動部３に設定するとともに、ランプ駆動部３を動作させる。これにより、ランプ駆動部３に設定された点灯モードに応じた点灯電力がランプ１に供給され、ランプ１が点灯し、スクリーンに画像が表示されることになる（ステップＳ７０１）。なお、画像の投写を開始するタイミングは、例えば、プロジェクタが起動したタイミングやスリープモードから復帰したタイミングなどである。
【００５３】
点灯制御部４は、ランプ駆動部３を動作させると、ランプ駆動部３に設定した点灯モードを示すモード情報を計算部６に通知する。計算部６は、不揮発性メモリ５からそれぞれの点灯モードに対応するランプの点灯時間、および、ランプ残量情報を取得するとともに、ランプの点灯時間の計測を開始する（ステップＳ７０２）。なお、計算部６は、計測した点灯時間を、不揮発性メモリ５から取得された、ランプ駆動部３に設定した点灯モードに対応するランプの点灯時間に加算する。
【００５４】
そして、計算部６は、エコ点灯時間Ｔｅが予め規定された閾値、例えば、エコ点灯モードにおけるランプの寿命である２０００時間以上か否かを判断する（ステップＳ７０３）。
【００５５】
なお、エコ点灯モードが複数ある場合、判定されるエコ点灯時間は、最小のエコ電力で動作するエコ点灯モードにおけるエコ点灯時間が用いられ、その閾値は、当該エコ点灯モード（最小のエコ電力で動作するエコ点灯モード）におけるランプの寿命が用いられる。最小のエコ電力により、エコ点灯モードの寿命は最大となる。
【００５６】
エコ点灯時間Ｔｅが２０００時間より短い場合、計算部６は、第１の補正式を用いて、モード情報が示す点灯モードに応じて点灯時間を補正して点灯補正時間を求める。そして、計算部６は、その点灯補正時間に基づいて、ランプ残量を更新し、その更新したランプ残量を示すランプ残量情報を不揮発性メモリ５に記憶する（ステップＳ７０４）。
【００５７】
一方、エコ点灯時間Ｔｅが２０００時間以上の場合、計算部６は、第２の補正式を用いて、モード情報が示す点灯モードに応じて点灯時間を補正して点灯補正時間を求める。そして、計算部６は、その点灯補正時間に基づいて、ランプ残量を更新し、その更新したランプ残量を示すランプ残量情報を不揮発性メモリ５に記憶する（ステップＳ７０５）。
【００５８】
ステップＳ７０４またはＳ７０５を終了すると、計算部６は、更新したランプ残量が０％以下か否かを判断する（ステップＳ７０６）。
【００５９】
ランプ残量が０％以下の場合、計算部６は、タイミング通知情報を表示部７に表示する（ステップＳ７０７）。
【００６０】
ステップＳ７０６でランプ残量が０％より高い場合、および、ステップＳ７０７でタイミング通知情報を表示した場合、計算部６は、ランプの点灯時間の計測を終了するか否かを判断する（ステップＳ７０８）。例えば、プロジェクタの動作が停止されたり、プロジェクタに対してスリープモードが設定されたりすると、点灯制御部４は、ランプ駆動部３の動作を停止するとともに、点灯時間の計測を終了する旨の終了情報を計算部６に通知する。計算部６は、終了情報が通知された場合、ランプの点灯時間の計測を終了すると判断し、終了情報が通知されていない場合、ランプの点灯時間の計測を終了しないと判断する。
【００６１】
計算部６は、点灯時間の計測を終了しない場合、ステップＳ７０３の処理に戻り、点灯時間の計測を終了する場合、処理を終了する。
【００６２】
なお、ステップＳ７０７においてタイミング通知情報を表示した場合、規定の時間経過後に、例えば、点灯制御部４は、ランプ駆動部３の動作を停止するようにしても良い。また、ステップＳ７０７においてタイミング通知情報を表示した場合、ステップ７０８に移行せずに、処理を終了しても良い。
【００６３】
以上説明したように本実施形態によれば、ランプ１の点灯時間と、ランプに供給される点灯電力とに基づいて点灯時間が補正された補正点灯時間に応じて、ランプ１の消耗度が計算されるため、点灯電力に応じてランプ１の適切な交換タイミングが異なっている場合でも、交換タイミングを適切に反映した消耗度を計算することができる。したがって、ランプを交換する交換タイミングを適確に把握することが可能になる。
【００６４】
以上説明した各実施形態において、図示した構成は単なる一例であって、本発明はその構成に限定されるものではない。
【符号の説明】
【００６５】
１  ランプ
２  投写部
３  ランプ駆動部
４  点灯制御部
５  不揮発性メモリ
６  計算部
７  表示部
【図１】
2014057560.tif 000003
【図２】
2014057560.tif 000004
【図３】
2014057560.tif 000005
【図４】
2014057560.tif 000006
【図５】
2014057560.tif 000007
【図６】
2014057560.tif 000008
【図７】
2014057560.tif 000009
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
光源と、
前記光源に点灯電力を供給して、前記光源を点灯する光源駆動部と、
前記点灯電力を調整する点灯制御部と、
前記光源が点灯された点灯時間を計測し、前記点灯時間および前記点灯電力に基づいて求められる、前記点灯時間を補正した補正点灯時間に応じて、前記光源の消耗度を計算する計算部と、を有し、
前記計算部は、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める、プロジェクタ。
【請求項２】
請求項１に記載のプロジェクタにおいて、
前記計算部は、前記補正式として予め定められた第１の補正式を用いて、前記補正点灯時間を求め、前記最小電力点灯時間が閾値以上になると、前記補正式として前記第１の補正式とは異なる第２の補正式を用いて、前記補正点灯時間を求める、プロジェクタ。
【請求項３】
請求項１または請求項２に記載のプロジェクタにおいて、
前記計算部は、前記消耗度として、前記光源を点灯することができる残り時間を求める、プロジェクタ。
【請求項４】
プロジェクタの光源の交換タイミングを検知する検知方法であって、
前記光源に供給する点灯電力の調整し、
前記光源が点灯された点灯時間を計測し、
前記点灯時間および前記点灯電力に基づいて、前記点灯時間および前記点灯電力に基づいて求められる、前記点灯時間を補正した補正点灯時間に応じて、前記光源の消耗度を計算し、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める、検知方法。
【手続補正２】
【補正対象書類名】明細書
【補正対象項目名】００１０
【補正方法】変更
【補正の内容】
【００１０】
本発明によるプロジェクタは、光源と、
前記光源に点灯電力を供給して、前記光源を点灯する光源駆動部と、
前記点灯電力を調整する点灯制御部と、
前記光源が点灯された点灯時間を計測し、前記点灯時間および前記点灯電力に基づいて求められる、前記点灯時間を補正した補正点灯時間に応じて、前記光源の消耗度を計算する計算部と、を有し、
前記計算部は、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める。
【手続補正３】
【補正対象書類名】明細書
【補正対象項目名】００１１
【補正方法】変更
【補正の内容】
【００１１】
本発明による検知方法は、プロジェクタの光源の交換タイミングを検知する検知方法であって、
前記光源に供給する点灯電力の調整し、
前記光源が点灯された点灯時間を計測し、
前記点灯時間および前記点灯電力に基づいて、前記点灯時間および前記点灯電力に基づいて求められる、前記点灯時間を補正した補正点灯時間に応じて、前記光源の消耗度を計算し、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める。
【手続補正書】
【提出日】平成28年6月13日(2016.6.13)
【手続補正１】
【補正対象書類名】特許請求の範囲
【補正対象項目名】請求項４
【補正方法】変更
【補正の内容】
【請求項４】
プロジェクタの光源の交換タイミングを検知する検知方法であって、
前記光源に供給する点灯電力を調整し、
前記光源が点灯された点灯時間を計測し、
前記点灯時間および前記点灯電力に基づいて求められる、前記点灯時間を補正した補正点灯時間に応じて、前記光源の消耗度を計算し、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める、検知方法。
【手続補正２】
【補正対象書類名】明細書
【補正対象項目名】００１０
【補正方法】変更
【補正の内容】
【００１０】
本発明は、上記の問題を鑑みてなされたものであり、ランプを交換する交換タイミングを適確に把握することが可能なプロジェクタおよび検知方法を提供することを目的とする。
【手続補正３】
【補正対象書類名】明細書
【補正対象項目名】００１１
【補正方法】変更
【補正の内容】
【００１１】
本発明によるプロジェクタは、光源と、
前記光源に点灯電力を供給して、前記光源を点灯する光源駆動部と、
前記点灯電力を調整する点灯制御部と、
前記光源が点灯された点灯時間を計測し、前記点灯時間および前記点灯電力に基づいて求められる、前記点灯時間を補正した補正点灯時間に応じて、前記光源の消耗度を計算する計算部と、を有し、
前記計算部は、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める。
【手続補正４】
【補正対象書類名】明細書
【補正対象項目名】００１２
【補正方法】変更
【補正の内容】
【００１２】
本発明による検知方法は、プロジェクタの光源の交換タイミングを検知する検知方法であって、
前記光源に供給する点灯電力を調整し、
前記光源が点灯された点灯時間を計測し、
前記点灯時間および前記点灯電力に基づいて求められる、前記点灯時間を補正した補正点灯時間に応じて、前記光源の消耗度を計算し、前記点灯時間を前記点灯電力に応じて補正する補正式を、前記光源に異なる点灯電力を供給する複数の点灯モードのうち、最小の点灯電力を供給する点灯モードにおける最小電力点灯時間に応じて決定し、当該決定した補正式を用いて、前記補正点灯時間を求める。
【国際調査報告】
2014057560.tif 000010
2014057560.tif 000011